(57)【特許請求の範囲】
【請求項１】
地域的なラジオ放送プログラムを受信する受信機であって、
これらのラジオ放送プログラムは、同一周波放送網（Ａ）で伝送され、
この受信機は、地域的に異なる情報（ＲＩ）を評価する回路装置を有し、これらの情報（ＲＩ）は、同一周波動作中に時間周波数位相基準符号、制御チャンネル符号、ステレオ伝送チャンネル（ＳＰ１，ＳＰ２）用のデータ符号の順で情報を送るための伝送信号（ＧＳ）が伝送されていない伝送時間スロット（ＮＵＬＬ）内に伝送される受信機において、
受信機の制御ユニットは、２つのモノラル伝送チャンネル（ＭＰ１とＭＰ２）に分割されたステレオ伝送チャンネル（ＳＰ２）の番号に加えて、受信されるモノラル伝送チャンネル（ＭＰ１又はＭＰ２）も含む識別情報（ＳＭＫ）が受信されると、どのステレオ伝送チャンネルが２つのモノラル伝送チャンネル（ＭＰ１とＭＰ２）へ分割されているかを識別し、
受信機が、このステレオ伝送チャンネル（ＳＰ２）に同期しているか否かを調べ、受信機が、このステレオ伝送チャンネル（ＳＰ２）に同期していると確認すれば、地域的に異なる情報（ＲＩ）からデコーダーで２つのモノラル伝送チャンネル（ＭＰ１又はＭＰ２）のどちらを符号化すべきかを探索し、
受信機が、このモノラル伝送チャンネルに同期し、２つの地域的なモノラル・ラジオ放送プログラムの一方を出力するモノラル受信モードに切り換わる、
ことを特徴とする受信機。
【請求項２】
デマルチプレクサが、送信機内で実行された時間領域及び／又は周波数領域内でのスクランブルを解除することを特徴とする請求項１に記載の受信機。
【請求項３】
請求項１又は２に記載の受信機に、地域的なラジオ放送プログラムを同一周波放送網で伝送する方法において、送信機によるステップが以下のステップから成る方法：
ａ）同一周波放送方式の信号が伝送されていないゼロ符号の時間スロットを生成するステップ；
ｂ）地域的に異なる情報（ＲＩ）をゼロ符号の時間スロットの間に伝送するステップ；
ｃ）同一周波放送方式の時間周波数位相基準符号を伝送するステップ；
ｄ）同一周波放送方式の制御チャンネル符号を伝送するステップ；
ｅ）同一周波放送方式の第１ステレオ伝送チャンネル用のデータ符号を生成するステップ；
ｆ）同一周波放送方式の第２ステレオ伝送チャンネル用のデータ符号を生成するステップ；
ｇ）この同一周波放送方式の第２ステレオ伝送チャンネルを周波数領域と時間領域の中の少なくとも１つに関して第１モノラル伝送チャンネルと第２モノラル伝送チャンネルとに分割するステップ；
ｈ）第１モノラル伝送チャンネル及び第２モノラル伝送チャンネルの位置を示し、受信されるモノラル伝送チャンネル（ＭＰ１又はＭＰ２）を含む識別情報を地域的に異なる情報（ＲＩ）と同一周波放送方式の制御チャンネル符号（ＦＩＣ）の中の１つに挿入するステップ；
ｉ）第１の地域的なラジオ放送プログラムをこの第１モノラル伝送チャンネルに割り当て、第２の地域的なラジオ放送プログラムをこの第２モノラル伝送チャンネルに割り当てるステップ。
【請求項４】
干渉に対する耐性を向上させるために、第１モノラル伝送チャンネル及び第２モノラル伝送チャンネルに対して、時間領域及び周波数領域をスクランブルするステップを更に有することを特徴とする請求項３に記載の方法。
【請求項５】
請求項３に記載の方法において、受信機によるステップが以下のステップから成ることを特徴とする方法：
ｊ）識別情報を受信するステップ；
ｋ）どのステレオ伝送チャンネルが２つのモノラル伝送チャンネル（ＭＰ１とＭＰ２）へ分割されているかを識別し、受信機が、このステレオ伝送チャンネル（ＳＰ２）に同期しているか否かを調べるステップ；
ｌ）受信機が、このステレオ伝送チャンネル（ＳＰ２）に同期していると確認すれば、地域的に異なる情報（ＲＩ）からデコーダーで２つのモノラル伝送チャンネル（ＭＰ１又はＭＰ２）のどちらを符号化すべきかを探索し、２つのモノラル・ラジオ放送プログラムの一方を出力するステップ。
【請求項６】
請求項１又は２に記載の受信機に、同一周波放送網（Ａ）内で地域的なラジオ放送プログラムを伝送する送信機であって、この送信機は、地域で異なる情報（ＲＩ）を伝送する回路装置を有し、これらの情報（ＲＩ）は、同一周波動作中に時間周波数位相基準符号、制御チャンネル符号、ステレオ伝送チャンネル（ＳＰ１，ＳＰ２）用のデータ符号の順で情報を送るための伝送信号（ＧＳ）が伝送されていない時間スロット（ＮＵＬＬ）内に伝送される送信機において、
マルチプレクサが、挿入すべきラジオ放送プログラムを周波数領域及び／又は時間領域内でスクランブルし、これによって、モノラル伝送チャンネル（ＭＰ１，ＭＰ２）が形成されることと、
回路装置が、このモノラル伝送チャンネル（ＭＰ１，ＭＰ２）の信号を同一周波動作中に送られる伝送信号（ＧＳ）の伝送チャンネル（ＳＰ２）内に挿入することと、
回路装置が、識別情報（ＳＭＫ）を生成して、送信し、この識別情報（ＳＭＫ）は、２つのモノラル伝送チャンネル（ＭＰ１とＭＰ２）に分割されたステレオ伝送チャンネル（ＳＰ２）の番号に加えて、受信されるモノラル伝送チャンネル（ＭＰ１又はＭＰ２）も含むことと、
を特徴とする送信機。
【発明の詳細な説明】
【０００１】
本発明は、ローカル放送プログラムを伝送する方法、この方法用の送信機、ローカル放送プログラムを受信する方法、及びこの方法用の受信機に関する。
【０００２】
数年来、移動受信機でもデジタル記録と同程度に改善された同じように維持された高い伝送品質や、周波数経済性を提供する地上デジタル伝送方法が開発されている。オーディオ伝送用の用語ＤＡＢ（Digital Audio Broadcasting）又はビデオ伝送用の用語ＤＶＢ（Digital Video Broadcasting）として知られる方法では、伝送データが同一周波放送網内で送られる。これにより伝送周波数を特に良好に利用できる。
【０００３】
国際特許出願公開第88/00417号明細書によれば、その場合データを符号化して変調するために利用する伝送方法が知られている。これ等のデータは、伝送の誤りをさらに改善するため、先ず誤り保護符号を付け加えて符号化される。次いで、変調が行われる。その場合、多数の搬送周波数が伝送すべき信号で位相変調され、これらの搬送周波数を時間領域内及び周波数領域内でスクランブルする。しかし、この伝送方法には、同一周波放送網中で伝送される全ての情報を完全に同一にする必要があると言う欠点がある。同一周波放送網は、その時の計画に応じて主に地上に広範囲に及ぶので、情報を地域的にのみ伝送することが不可能である。
【０００４】
この欠点は、ドイツ連邦共和国特許発明第42 22 877号明細書中に記されている方法によって排除される。ここでは、地域的に異なる情報を同一周波放送網内で伝送する方法が開示されている。この方法の場合、データが、同一周波信号によって割り当てられていない時間スロット内にその他の時間スロット内でも利用される搬送周波数を用いて伝送される。同一周波動作とは違って、これらのデータは、ＶＨＦ伝送で既に一般に行われているように周波数分割多重で各放送局（送信機）に対して異なる搬送周波数で送られる。したがって原理的には、２つの異なる伝送方法が、時分割多重で使用される。これによって、伝送データのほぼ大半は、周波数効率の良い同一周波動作で放送局に送ることが可能になり、一地域だけに限って関心のある僅かな部分のデータは、周波数分割多重で放送局に送ることが可能になる。
【０００５】
この場合、地方のラジオ放送局に対する伝送容量が十分でない点が欠点である。何故なら、同一周波放送網の信号が原因で、比較的小さい時間スロットしかＣＯＦＤＭ（符号化直交周波数分割多重）方法にしたがって割り当てられていないからである。
ドイツ連邦共和国特許発明第42 37 692号明細書により、特に望ましい回路装置で実現されるデジタル放送信号用の受信機が知られている。この受信機では、オールパスフィルタを切り換えて受信信号が信号の実と虚の成分に分解され、同時に中間周波数位置で混合される。こうして、信号の実と虚の成分が時分割多重され、通常受信信号の実と虚の成分を並列処理するために必要である受信機の構造群に供給される。
【０００６】
ドイツ連邦共和国特許発明第42 23 194号明細書により、同一周波放送網内の受信機の地理的な地点を決める方法とその回路装置が公知である。この場合、種々の送信機に一定位相で結合する伝送信号が受信機内で唸り周波数を形成するため重畳される。次いで、種々の送信機の多数の唸り周波数の位相差により、周知の双曲線位置決め法の１つ、デッカ（Decca）又はローランC（Loran-C）に従い受信機の地点を決定できる。
【０００７】
ドイツ連邦共和国特許発明第43 41 211号明細書により、データを伝送信号内に挿入する方法とその装置が知られている。この場合、同一周波放送網用の送信機内で地域的に伝送される情報のみがDAB伝送信号に周波数と時間を同期させて挿入される。こうして、伝送信号が通常絶対的に同一である同一周波放送網の送信機により、地域的に異なった付加的な情報を送信できる。
【０００８】
ドイツ連邦共和国特許発明第43 14 045号明細書により、圧縮されたデジタル・オーディオ信号及び／又はビテオ信号を伝送する方法が知られている。この場合、オーディオ信号及び／又はビデオ信号は１つ又はそれ以上のラジオ放送プログラムに付属している。伝送チャンネルを介して伝送されるデジタル・データ流は多数の部分データ流に分割される。部分データ流は周波数分割多重及び／又は時分割重化で伝送される。
【０００９】
本発明の課題は、ラジオ放送プログラムを同一周波放送網で局所的にのみ送信し受信することを可能にする送信機と受信機に対する新しい方法と新しい回路装置を提供することにある。さらに本発明は、ラジオ放送プログラム間で速く切り換えることが可能である。
この課題は、この発明により、請求項に記載の構成によって解決される。
【００１０】
本発明の方法には、伝送チャンネルを部分伝送チャンネルに分割できる可能性が生じるという利点がある。部分伝送チャンネルを介して伝送されるプログラムは全ての送信機又は選ばれた送信機を介して送信できる。さらに、受信機内では情報チャンネルで伝送される識別情報に応じて復号化の切換が自動的に行われる。付加的に送信されるこの識別情報により、受信機は丁度受信した伝送チャンネルが部分伝送チャンネルに分割されているか否かを判別する。
【００１１】
本発明による方法には、ローカルラジオ放送プログラムの伝播領域を制限できると言う利点がある。こうして、受信機が、例えば放送局を探した後、さらに遠い領域のローカル情報を運ぶローカルラジオ放送プログラムを再生するという状況は生じない。さらに、これにより、利用する送信機の間の距離が十分遠い場合、伝送チャンネルを多重に占めることができる。
【００１２】
本発明による方法には、制御データを受信機に伝送する制御チャンネルＦＩＣ（Fast-Information-Channel）で部分伝送チャンネルに分割された伝送チャンネルを識別するため識別情報を伝送するという利点がある。これにより、伝送チャンネルを利用する、又は復号化する識別情報に対して経費がかかり時間的に密な評価方法を回避できる。さらに、この情報により受信機の地点に応じて一定の部分伝送チャンネルをその受信機に割り振ることができる。こうして、ローカルラジオ放送プログラムの伝播領域を制限できる。
【００１３】
本発明による方法には、伝送チャンネルを部分伝送チャンネルに分割する識別情報が同一周波放送網の動作で伝送されるという利点がある。これにより、ゼロ符号の地域的に伝送される情報の伝送容量が不要である。送信機毎に異なる情報は、それに応じて地域的に異なる情報と共に伝送される。従って、周波数に関する最適な経済性が達成される。何故なら、全ての同一周波放送網で伝送される情報は同一周波動作で、また異なった情報は周波数分割多重で伝送されるからである。
【００１４】
本発明による方法には、受信機で受信したラジオ放送プログラムの早い切換が可能となる利点がある。これは、特に狭い領域に限定されたラジオ放送プログラムを受信する場合に必要である。こうして、新たに放送局を探す場合、待ち時間を避けることができる。
【００１５】
本発明による送信機は上記の方法に必要な構造群を有する。これ等の構造群は部分伝送チャンネルを介して伝送されるラジオ放送プログラムを受信機内で既知の方法に従って混ぜ合わせるために使用される。これにより乱れに強くなる。さらに、ローカルラジオ放送プログラムを伝送チャンネルに時間及び周波数に同期させて挿入する回路が設けてある。部分伝送チャンネルに分割された伝送回路を識別する特別な識別情報を発生する回路が設けてある。同時に、この識別情報により、どの部分伝送チャンネルがどの領域で受信できるか、又は受信すべきかが伝送される。
【００１６】
本発明による送信機は、受信機を同期させるための制御信号を発生し、これにより受信機が正しい部分伝送チャンネルに自動的に同期するという利点を有する。
【００１７】
本発明によるローカルラジオ放送プログラムを受信する方法には、伝送された識別情報及び受信機を部分伝送チャンネルの人に同期させる制御情報を評価し、それにより多数のラジオ放送プログラムを１つの伝送チャンネル内で受信できるという利点がある。
【００１８】
本発明による受信機は、多数の部分伝送チャンネルで伝送された多数のラジオ放送プログラムを受信できるように、受信機を同期する伝送チャンネルに応じて制御ユニットが受信機を制御するという利点を有する。
本発明による受信機は、部分伝送チャンネルの１つ、従ってラジオ放送プログラムの１つが自動的に選択されるという利点を有する。これにより種々の可能性が生じる。
【００１９】
ラジオ放送プログラムの伝播範囲を制限するため、制御チャンネル内で伝送される情報を用いて受信機に部分伝送チャンネルを割り振ると有利である。この代わりに、回路装置により受信機自体の受信電界強度を評価し、部分伝送チャンネルが未だ十分な伝送容量を持っているか否を判定することもできる。他の可能性は、受信機がその地理的な地点を認識し、この地点を送信機から伝送された地点に関する情報と比較し、その差により、特定の部分チャンネルが復号化されているか否かを判定することにある。これに必要な判定基準は送信機から伝送することもできる。
【００２０】
以下、この発明を実施例に基づきより詳しく説明する。ここに示すのは、
第１図、付属する送信機を伴う同一周波放送網、
第２図、同一周波放送網の１つの送信機の送信信号、
である。
【００２１】
以下の実施例では、伝送チャンネルが２つの部分伝送チャンネルに分割されていることを前提とする。これは、全同一周波放送網で伝送チャンネルを利用できる伝送容量が２つの単位に分割されている、つまり２つの部分伝送チャンネルであることを意味する。しかし、伝送方法で存在する全伝送容量を任意の大きさの単位に分割することも可能である。
【００２２】
部分伝送チャンネルへ分割することは、同一周波放送網の第一領域で第一ラジオ放送プログラムが、また第一領域から離れた第二領域で第二ラジオ放送プログラムが送信されるようにして行われる。この場合、２つの領域の間に干渉が生じるので、干渉領域で局部的に制限された部分伝送チャンネルの１つへ同期するように、受信機の同期を識別情報により制御する必要がある。
【００２３】
部分伝送チャンネルへ分割する他の可能性は、ラジオ放送プログラムで必要な伝送容量を少なくして行える。例えば、ラジオ放送プログラムをモノラル動作に切り換えてそのデータレートを半分にできる。これは、１つの伝送チャンネル内で２つのモノラル・ラジオ放送プログラムを伝送することを可能にする。さらに、データを少なくしたり圧縮したりして、ラジオ放送プログラムのデータレートを低減できる可能性も生じる。識別情報により、伝送チャンネルで伝送されるラジオ放送プログラムの１つを受信するため、ただ１つの部分伝送チャンネルを復号化する必要があることが受信機に対して信号化される。さらに、識別情報により復号化を制御して部分伝送チャンネルの１つを復号化することだけが許される可能性も生じる。
【００２４】
他の構成では、２つのラジオ放送プログラムのデータレートをモノラル動作に切り換えて低減し、各モノラル・ラジオ放送プログラムを１つの部分伝送チャンネル又はモノラル伝送チャンネルＭＰ1,ＭＰ２で伝送することを前提とする。２つのモノラル伝送チャンネルはステレオ・ラジオ放送信号用の周知の伝送チャンネルＳＰ２を形成する。
第１図には８つの送信機Ｓ１〜Ｓ８を有する同一周波放送網Ａが示してある。全ての送信機Ｓ１〜Ｓ８から送信されるステレオ・ラジオ放送プログラムに加えて、同一周波放送網Ａのこれ等の送信機Ｓ１〜Ｓ６から異なったローカル・モノラル・ラジオ放送プログラムが送信される。
【００２５】
送信機Ｓ１〜Ｓ３から第一ローカル・モノラル・ラジオ放送プログラムが、また送信機Ｓ４〜Ｓ６から第二ローカル・モノラル・ラジオ放送プログラムが送信される。送信機Ｓ７とＳ８はローカル・ラジオ放送プログラムを伝送しない。ローカル・ラジオ放送プログラムはモノラルでのみ送信されるので、これ等のプログラムは１つのステレオ・ラジオ放送プログラムの半分の伝送容量のみを必要とする。
【００２６】
それ故、２つのローカル・ラジオ放送プログラムをただ１つの伝送チャンネルＳＰ２で伝送できる可能性が生じる。
ローカル・ラジオ放送プログラムが異なっているため乱れない、特に干渉の乱れが生じないように、２つのモノラル・ラジオ放送プログラムを特別なモノラル伝送チャンネルＭＰ1,ＭＰ２で伝送する。これ等のチャンネルには１つの伝送チャンネルＳＰ２の半分の伝送容量がある。
【００２７】
第２図は、同一周波放送網Ａの伝送信号ＧＳの伝送フレームを例示的に示す。この伝送フレームは、ゼロ符号ＮＵＬＬで開始する。地域で異なる情報ＲＩが、このゼロ符号ＮＵＬＬで伝送される。これ等の情報は、送信機の同一周波動作ではなく、周知の方法、例えばＶＨＦラジオ放送で周知のように各送信機に対する個別の周波数で伝送される。次いで、時間周波数位相基準（Time-Frequency-Phase-Reference）符号ＴＦＰＲが続く。これは、伝送フレームの以下の全ての符号のように、同一周波動作で送信され、受信機を同期させるために使用される。次いで、高速情報チャンネル（Fast-Information-Channel）の符号ＦＩＣで伝送容量の分割に関して受信機を制御するための情報が伝送フレームの次のデータ符号ＤＳに送られる。ステレオ・ラジオ放送プログラムに必要な伝送容量を有する第一データ符号ＤＳは第一伝送チャンネルＳＰ１を形成する。次のデータ符号ＤＳでは、２つのモノラル・ラジオ放送プログラムが送信される。このため、データ符号ＤＳで形成されたステレオ伝送チャンネルＳＰ２が２つのモノラル伝送チャンネルＭＰ１とＭＰ２に分割される。その場合、この分割は、同一周波動作で伝送するのに利用する帯域幅を少なくとも２つの周波数ブロックに分割し、各モノラル伝送チャンネルＭＰ１とＭＰ２に対して少なくとも１つのこの種の周波数ブロックを利用する周波数領域で行われると有利である。
【００２８】
これに加えて、又はこの代わりに、分割を時間領域で行うこともできる。多数の時間ブロック及び／又は周波数ブロックに分割することにより、伝送チャンネルが周波数及び／又は時間により乱れに対して強くなる。
受信機内でステレオ伝送チャンネルＳＰ２を２つのモノラル伝送チャンネルＭＰ１とＭＰ２に分割することを早くしかも誤りなく認識できるため、受信機が識別するステレオモノラル識別情報ＳＭＫを送る。この受信機のデータ符号ＤＳとこれに伴うこの符号の伝送チャンネルＳＰが２つのモノラル伝送チャンネルＭＰ１とＭＰ２に分割される。
【００２９】
こうして、受信機内ではこの受信機がステレオ伝送チャンネルＳＰに同期している限り、受信データの符号化をステレオ評価からモノラル評価へ自動的に切り換える。
識別情報ＳＭＫは、この場合、例えば制御チャンネルＦＩＣで伝送できる。さらに、この識別情報ＳＭＫを受信機内で受信して、ゼロ符号で伝送される地域的に異なった情報ＲＩの評価を開始でき、この情報により各送信機に対して個別の受信機に、２つのモノラル伝送チャンネルＭＰ１とＭＰ２の何方でローカル・モノラル・ラジオ放送プログラムを受信できるかを伝える。
【００３０】
この代わりに、地域的に異なった情報ＲＩを用いて同一周波放送網内にある全ての部分伝送チャンネルに対して部分伝送チャンネルを割り振ることを制御チャンネルＦＩＣでも伝送できる。
この外の実施態様は、ゼロ符号の地域的に異なった情報ＲＩと共に識別情報ＳＭＫを伝送することにある。その場合には、識別情報ＳＫＭは２つのモノラル伝送チャンネルＭＰ１とＭＰ２に分割されたステレオ伝送チャンネルＳＰ２の番号に加えて、受信されるモノラル伝送チャンネルＭＰ１又はＭＰ２も含む。
【００３１】
以下では、ローカル・モノラル・ラジオ放送プログラムを伝送できる送信機を説明する。この送信機には、同一周波放送網用の送信機で知られている構造群の外に以下のような付加的な構造群がある。
【００３２】
先ず、モノラル・ラジオ放送プログラムを、それ用にある伝送チャンネルＧＳのモノラル伝送チャンネルＭＰ１又はＭＰ２の時間と周波数ブロック内でスクランブルする回路装置が設けられている。この場合、モノラル・ラジオ放送プログラムは、挿入のため正しい時間と周波数でデータバーストの伝送信号ＧＳに分割される。これは、挿入を行う周波数位置に応じて、基本帯域、中間周波数位置又は送信周波数領域内にある。場合によっては、挿入すべきモノラル・ラジオ放送プログラムを所望の周波数位置に混合させる必要もある。
【００３３】
次に、挿入回路によりモノラル・ラジオ放送プログラムは送信信号ＧＳのモノラル伝送チャンネルＭＰ１又はＭＰ２に挿入される。これは、基本帯域や、中間周波数位置又は送信周波数で行われる。
【００３４】
さらに、識別情報ＳＭＫを発生する回路装置が必要である。この回路装置は２つのモノラル伝送チャンネルＭＰ１とＭＰ２に分割されたステレオ伝送チャンネルＳＰ２に関して情報を発生する。この識別情報を送信しなければ、受信機はステレオ・ラジオ放送プログラムしか伝送しないことを認識する。この伝送は同一周波動作で制御チャンネルＦＩＣを介したり、地域的に異なる情報ＲＩを用いても行える。しかし、地域的に異なる情報ＲＩを用いて伝送する場合に注意すべきことは、ローカル・モノラル放送プログラムＭＰ１とＭＰ２を送信する同一周波放送網Ａの送信機Ｓ１〜Ｓ８の各々が１つの識別情報ＳＭＫを送信することにある。これが必要であるのは、受信機が存在する地域で、場合によっては、受信する必要のない２つのモノラル伝送チャンネルＭＰ１とＭＰ２に分割された１つのステレオ伝送チャンネルＳＰ２に受信機が同期しないようにするためである。
【００３５】
最後に、各送信機に対してそれぞれ送信されるモノラル伝送チャンネルＭＰ１又はＭＰ２を符号化する他の回路装置が必要である。その時、このモノラル伝送チャンネルに受信機が同期する。その場合、符号化は地域的に異なった情報ＲＩを符号化して行われる。何故なら、同一周波放送網Ａの各送信機に対して通常異なるモノラル伝送チャンネルＭＰ１又はＭＰ２が利用されるからである。送信機Ｓ７又はＳ８がローカル・ラジオ放送プログラムを送信しないなら、この種の符号は伝送されない。その代わりに、同一周波放送網で送信される地域的な全てのプログラムに対する制御チャンネルＦＩＣでもモノラル伝送チャンネルを受信位置に応じて割り振ることが行われる。
【００３６】
モノラル伝送チャンネルＭＰ１とＭＰ２を介してもモノラル・ラジオ放送プログラムが同一周波動作で伝送されるが、モノラル・ラジオ放送プログラムが同一周波放送網の全ての送信機Ｓ１〜Ｓ８から送信されるのでないから、このモノラル伝送チャンネルＭＰ１とＭＰ２の多重利用が可能になる。その場合に注意すべきことは、同じモノラル伝送チャンネルを利用する同一周波放送網の２つの送信機が相互に乱れないような距離に互いに離してある点にある。
【００３７】
動作様式と、例えばドイツ連邦共和国特許発明第42 37 692号明細書により知られているような周知の同一周波受信機に比べて付加されるローカル・モノラル・ラジオ放送プログラムを受信する受信機用の構造群を以下に説明する。
【００３８】
先ず、受信機内では識別情報ＳＭＫを復号化して評価する構造群が必要である。識別情報ＳＭＫが受信されると、受信機の制御ユニットはどのステレオ伝送チャンネルが２つのモノラル伝送チャンネルＭＰ１とＭＰ２へ分割されているかを識別する。その場合、識別情報は例えば制御チャンネルＦＩＣで、又は地域的に異なった情報ＲＩと共に伝送される。次いで、制御ユニットは受信機がこのステレオ伝送チャンネルＳＰ２に同期しているか否かを調べる。受信機がこのステレオ伝送チャンネルＳＰ２に同期していなければ、他の方法では通常の同一周波受信機と相違することが生じることはない。
【００３９】
受信機がこのステレオ伝送チャンネルＳＰ２に同期していと確認すれば、地域てきに伝送される情報ＲＩからデコーダーで２つのモノラル伝送チャンネルのどちらＭＰ１又はＭＰ２を受信できるかを符号化すべきかを探索する。これが成功しなければ、制御ユニットは同一周波放送網でローカル・モノラル・ラジオ放送プログラムを送信するが、丁度受信した送信機によっては送信されないことを確認する。つまり、ステレオ伝送チャンネルＳＰ２で、例えば送信機Ｓ７又はＳ８の受信領域で十分な品質を有する信号が伝送されない。それ故、受信機は制御ユニットにより無言で接続されることなもなく、受信機が他の伝送チャンネルへ自動的に同期することもない。受信機がモノラル伝送チャンネルＭＰ１又はＭＰ２を割り振る符号を復号化できるなら、受信機はこのチャンネルに同期し、２つのモノラル・ラジオ放送プログラムの一方を出力するモノラル受信モードに切り換わる。
【００４０】
２つのモノラル伝送チャンネルＭＰ１又はＭＰ２の一方を送信機により直接割り振る代わりに、他の選択可能性もある。良好な受信に必要な最低電界強度を越えている限り、受信電界強度のため２つのモノラル伝送チャンネルＭＰ１とＭＰ２の一方を再生用に選択できる。さらに、受信機は地理的な地点を決定できるかそれに関する情報が得られれば、この地点に基づき一方のモノラル伝送チャンネルＭＰ１又はＭＰ２を選択でき、このチャンネルは最も近くにある送信機によりモノラル・ラジオ放送プログラムを伝送するために使用される。それには、各送信機が識別情報又は送信機の地点を受信機に伝送することが必要である。この場合、受信機と送信機の間の最大距離を越えるべきではない。次いで、制御ユニットも受信機をモノラル受信モードに切り換える。
【図面の簡単な説明】
【図１】付属する送信機を伴う同一周波放送網、
【図２】同一周波放送網の１つの送信機の送信信号
【図１】
0004381478.tif 000002
【図２】
0004381478.tif 000003